(57)【要約】【課題】浴槽から湯水が溢れ出しても、湯水が天板の上面に流れ込まないようにすることのできる浴室カウンターを提供する。【解決手段】床パン１と一体に成型した土台部２の上面に、床パン１に設けた浴槽４の上面と略面一となるように、天板３を浴槽４に隣接させて設けると共に、浴槽４より溢れた湯水６を流し込む導水路５を天板３の浴槽側の端部４１に設け、土台部２の上面に流し込んだ湯水６を、土台部２の上面より床パン１へと流出させる排出手段を設けた。【選択図】　　　図１
2004024473.tif 000002
【特許請求の範囲】
【請求項１】
床パンと一体に成型した土台部の上面に、床パンに設けた浴槽の上面と略面一となるように天板を浴槽に隣接させて設けると共に、浴槽より溢れた湯水を流し込む導水路を天板の浴槽側の端部に設け、土台部の上面に流し込んだ湯水を床パンへと流出させる排出手段を設けたことを特徴とする浴室カウンター。
【請求項２】
土台部の上面に、取付部を設け、着脱自在に天板を設けたことを特徴とする請求項１に記載の浴室カウンター。
【請求項３】
排出手段は、土台部の上面に設けた土台部の前面に至る谷溝であることを特徴とする請求項１又は２に記載の浴室カウンター。
【請求項４】
排出手段は、土台部の上面に設けた土台部の前面に至る複数の谷溝であることを特徴とする請求項３に記載の浴室カウンター。
【請求項５】
谷溝の上端の幅は、土台部の前面に至るに連れて広くなることを特徴とする請求項３又は４に記載の浴室カウンター。
【請求項６】
天板と隣接する浴槽の上端部に、湯水を導水路へと導く谷溝を設けたことを特徴とする請求項１乃至５に記載の浴室カウンター。
【発明の詳細な説明】
【０００１】
【発明の属する技術分野】
本発明は、浴室内に設置する浴室カウンターに関する。
【０００２】
【従来の技術】
従来より、図６に示す通り床パン１０１と一体に成型した土台部１０２の上面に、天板１０３の上面と浴槽１０４の上面とが略面一となるように天板１０３を浴槽１０４に隣接させて設けていた。この場合、天板１０３の上面と浴槽１０４の上面とが略面一で、天板１０３を浴槽１０４に隣接させて設けているので、浴槽１０４から溢れ出した湯水１０６の一部が、天板１０３の上面を通過して床パン１０１に流れるため、湯水１０６が天板１０３の上面に置いていた石鹸やシャンプーの入った容器等を流してしまうという問題がある。
【０００３】
【発明が解決しようとする課題】
本発明は、上記の問題点を解消するためのもので、浴槽から湯水が溢れ出しても、湯水が天板の上面に流れ込まないようにすることのできる浴室カウンターを提供するものである。
【０００４】
【課題を解決するための手段】
本発明の請求項１記載の浴室カウンターは、床パンと一体に成型した土台部の上面に、床パンに設けた浴槽の上面と略面一となるように天板を浴槽に隣接させて設けると共に、浴槽より溢れた湯水を流し込む導水路を天板の浴槽側の端部に設け、土台部の上面に流し込んだ湯水を床パンへと流出させる排出手段を設けたことを特徴とする。
【０００５】
このものにあっては、天板の上面と浴槽の上面とが略面一であっても、浴槽から溢れ出た湯水を導水路に流し込むので、湯水が天板の上面に流れ出ないようになり、天板の上面にある石鹸やシャンプーの入った容器等を流してしまうことがなくなる。
【０００６】
本発明の請求項２に記載の浴室カウンターは、請求項１に記載の浴室カウンターにおいて、土台部の上面に、取付部を設け、着脱自在に天板を取り付けたことを特徴とする。
【０００７】
このものにあっては、取付部に天板を着脱自在に土台部の上面に設けているので、天板を容易に取り外して洗浄することができると共に、他の天板と容易に取り替えることもできる。
【０００８】
本発明の請求項３に記載の浴室カウンターは、請求項１又は２に記載の浴室カウンターにおいて、排出手段は、土台部の上面に設けた土台部の前面に至る谷溝であることを特徴とする。
【０００９】
このものにあっては、土台部の上面に、土台部の前面に至る谷溝を設けることにより、湯水を導水路に流し込んだ後、土台部の上面にある谷溝に湯水を効果的に集めて床パンへ流出させることができる。
【００１０】
本発明の請求項４に記載の浴室カウンターは、請求項３に記載の浴室カウンターにおいて、排出手段は、土台部の上面に設けた土台部の前面に至る複数の谷溝であることを特徴とする。
【００１１】
このものにあっては、複数の谷溝を設けることにより、土台部の上部の断面係数が大きくなるので、土台部の強度が高くなり、天板の重量に加えて湯水の重量が土台部の上面に加わっても、土台部の上部にヒビが入ったり、割れやすくなるのを防ぐことができる。
【００１２】
本発明の請求項５に記載の浴室カウンターは、請求項３又は４に記載の浴室カウンターにおいて、谷溝の上端の幅は、土台部の前面に至るに連れて広くなることを特徴とする。
【００１３】
このものにあっては、土台部の上面にある谷溝の上端の幅を、土台部の前面に至るに連れて広くすることで、湯水を導水路に流し込んだ後、湯水を谷溝に効果的に集めると共に、湯水を土台部から床パンに流出させる際、土台部の前面に至る谷溝の端部で、湯水が谷溝の上端の幅方向に分散されるので、水の勢いを和らげることができる。
【００１４】
本発明の請求項６に記載の浴室カウンターは、請求項１乃至５に記載の浴室カウンターにおいて、天板と隣接する浴槽の上端部に、湯水を導水路へと導く谷溝を設けたことを特徴とする。
【００１５】
このものにあっては、浴槽の上端部に谷溝を設けることにより、浴槽より溢れ出ようとしている湯水を容易に導水路に集めることができる。
【００１６】
【発明の実施の形態】
以後、本発明の実施形態を、図を用いて説明する。
【００１７】
図１又は図２は、本発明の実施形態に係る浴室カウンターの第一の実施例を示すものである。
【００１８】
床パン１は、洗い場３１と、洗い場３１の後方に位置する土台部２とを備え、この土台部２の上面に、天板３を載置している。また、床パン１には、洗い場３１の縁にエプロン３２を備えると共に、エプロンの上端に浴槽４を挿入する開口部３３を設けている。床パン１の開口部３３には、開口部３３の上方より、浴槽４を挿入して、浴槽４を床パン１に取り付ける。
【００１９】
天板３は、上面が長方形の形状で、浴槽４と接する端部４１は、端部４１と垂直な縦断面が逆コ字状の形状となっている。また、浴槽４と接する端部４１に対して天板３を挟んで反対側に位置する端部４２は、端部４２と垂直な縦断面がコ字状の形状となっている。また、天板３の前面は、土台部２の前面と連なる形で平面状になっている。更に、浴槽４と接する天板３の端部４１には、天板３の上方に開口する導水路５がある。
【００２０】
天板３は、土台部２の上面に取付部９を設け、この取付部９は板バネ１１、１４を２個備えている。土台部２の上面に取り付ける一方の板バネ１１は、端部４１と垂直な縦断面が略Ｚ字状の形状で、この板バネ１１の下端に孔部１２を設け、ネジ１３を孔部１２に挿通させ、ネジ１３を土台部２の上面に螺入して板バネ１１を土台部２の上面に取り付ける。そして、土台部２の上面に取り付けた板バネ１１の上端部と、土台部２の上面との間に浴槽４と接する端部４１の先端部４３を挟み込む。
【００２１】
また、土台部２の上面に取り付ける他方の板バネ１４は、端部４２と垂直な縦断面が略逆Ｚ字状の形状で、この板バネ１４の下端に孔部１５を設け、ネジ１６を孔部１５に挿通させ、ネジ１６を土台部２の上面に螺入して板バネ１４を土台部２の上面に取り付ける。そして、土台部２の上面に取り付けた板バネ１４の上端部と、土台部２の上面との間に端部４２の先端部４４を挟み込んで、天板３を土台部２に取り付ける。
【００２２】
尚、天板３は板バネ１１，１４で嵌合して土台部２に取り付けているので、天板３は土台部２の上面に着脱自在である。したがって、天板３を土台部２から容易に取り外して洗浄することができると共に、他の天板３と容易に取りかえることもできる。
【００２３】
以上の説明により、天板３の上面と浴槽部４の上面とが略面一であっても、浴槽４より溢れ出た湯水６を導水路５に流し込むので、湯水６が天板３の上面に流れ出ないようになり、天板３の上面にある石鹸やシャンプーの入った容器等を流してしまうことがなくなる。
【００２４】
また、土台部２の上面には、土台部２の前面に平行な縦断面がＶ字状の谷溝２１を備えていて、この谷溝２１は土台部２の前面にまで至る。この谷溝２１を備えることで、湯水６を導水路５に流し込んだ後、土台部２の上面にある谷溝２１に湯水６を効果的に集めて床パン１へ流出させることができる。
【００２５】
次に、図３は本発明の実施形態に係る浴室カウンターの第二の実施例を示すものである。第一の実施例と同じものには、同符号を付して説明を省略する。第一の実施例と異なる点は、土台部２の上面に、土台部２の前面に至る複数の谷溝２１を設けたことである。複数の谷溝２１を設けることで、土台部２の上部の断面係数が大きくなるので、土台部２の強度が高くなり、天板３の重量に加えて湯水６の重量が加わっても、土台部２の上部にヒビが入ったり、割れやすくなるのを防ぐことができる。
【００２６】
次に、図４は本発明の実施形態に係る浴室カウンターの第三の実施例を示すものである。第一の実施例と同じものには、同符号を付して説明を省略する。第一の実施例と異なる点は、土台部２の上面にある谷溝２１の上端の幅を、土台部２の前面に至るに連れて広くしたことである。土台部２の上面にある谷溝２１の上端の幅を、土台部２の前面に至るに連れて広くすることで、湯水６を導水路５に流し込んだ後、湯水６を谷溝２１に効果的に集めると共に、湯水６を土台部２から床パン１に流出させる際に、土台部２の前面に至る谷溝２１の端部で、湯水６が谷溝２１の上端の幅方向に分散されるので、水の勢いを和らげることができる。したがって、浴槽４より溢れ出た湯水６が、人に直接降りかかることがなくなる。
【００２７】
次に、図５は本発明の実施形態に係る浴室カウンターの第四の実施例を示すものである。第一の実施例と同じものには、同符号を付して説明を省略する。第一の実施例と異なる点は、天板３と接する浴槽４の上端部に、湯水６を導水路５へと導く谷溝２２を設けたことである。浴槽４の上端部に谷溝２２を設けると、浴槽４より溢れ出ようとしている湯水６を容易に導水路５に集めることができる。
【００２８】
尚、上記実施例では、床パン１に設けた開口部３３に浴槽４を装着するもので説明しているが、単に床パン１の上に浴槽４を載置するものであっても良い。
【００２９】
【発明の効果】
以上の説明により、本発明の請求項１記載の浴室カウンターによると、天板の上面と浴槽の上面とが略面一であっても、浴槽から溢れ出た湯水を導水路に流し込むので、湯水が天板の上面に流れ出ないようになり、天板の上面にある石鹸やシャンプーの入った容器等を流してしまうことがなくなる。
【００３０】
本発明の請求項２に記載の浴室カウンターによると、取付部に天板を着脱自在に土台部の上面に設けているので、天板を容易に取り外して洗浄することができると共に、他の天板と容易に取り替えることもできる。
【００３１】
本発明の請求項３に記載の浴室カウンターによると、土台部の上面に、土台部の前面に至る谷溝を設けることにより、湯水を導水路に流し込んだ後、土台部の上面にある谷溝に湯水を効果的に集めて床パンへ流出させることができる。
【００３２】
本発明の請求項４に記載の浴室カウンターによると、土台部の上部の断面係数が大きくなるので、土台部の強度が高くなり、天板の重量に加えて湯水の重量が土台部の上面に加わっても、土台部の上部にヒビが入ったり、割れやすくなるのを防ぐことができる。
【００３３】
本発明の請求項５に記載の浴室カウンターによると、土台部の上面にある谷溝の上端の幅を、土台部の前面に至るに連れて広くすることで、湯水を導水路に流し込んだ後、湯水を谷溝に効果的に集めると共に、湯水を土台部から床パンに流出させる際、土台部の前面に至る谷溝の端部で、湯水が谷溝の上端の幅方向に分散されるので、水の勢いを和らげることができる。
【００３４】
本発明の請求項６に記載の浴室カウンターによると、浴槽の上端部に谷溝を設けることにより、浴槽より溢れようとしている湯水を容易に導水路に集めることができる。
【図面の簡単な説明】
【図１】本発明の実施形態係る浴室カウンターの第一実施例を示す斜視図である。
【図２】同上の浴室カウンターの第一実施例を示す縦断面図である。
【図３】同上の浴室カウンターの第二実施例を示す縦断面図である。
【図４】同上の浴室カウンターの第三実施例を示す斜視図である。
【図５】同上の浴室カウンターの第四実施例を示す斜視図である。
【図６】従来の浴室カウンターを示す斜視図である。
【符号の説明】
１　　　床パン
２　　　土台部
３　　　天板
４　　　浴槽部
５　　　導水路
６　　　湯水
９　　　取付部
２１　　谷溝
２２　　谷溝
【図１】
2004024473.tif 000003
【図２】
2004024473.tif 000004
【図３】
2004024473.tif 000005
【図４】
2004024473.tif 000006
【図５】
2004024473.tif 000007
【図６】
2004024473.tif 000008